(57)【要約】【課題】新規に識別情報を登録する場合や登録内容を編集する場合の面倒な操作を解消するとともに、非接触型通信機器を利用した電子機器の使用性を向上させる。【解決手段】ナビゲーション装置やオーディオ再生装置等において、読取部によってＩＣカード等の非接触型通信機器からカードＩＤを読み込んだときに、そのカードＩＤの登録状況やそのときの動作状態に応じて、新規ユーザの識別情報を登録する登録処理（Ｆ２０４）や、すでに登録済の識別情報を編集する処理（Ｆ２０８）が実行されるようにする。【選択図】図３
2008052408.tif 000002
【特許請求の範囲】
【請求項１】
固有の識別情報を記憶した非接触型通信機器から情報を読取る読取部と、
上記読取部が読取った識別情報が、登録済の識別情報であるか未登録の識別情報であるかを判別し、登録済の識別情報であった場合は、その識別情報に対応するユーザ設定情報を取得して該ユーザ設定情報に基づく設定処理を行い、未登録の識別情報であった場合は、その識別情報についての登録の為の処理を行う制御部と、
を備えたことを特徴とする電子機器。
【請求項２】
上記制御部は、或るユーザ設定情報に基づく設定状態で動作している状態で、上記読取部が、上記ユーザ設定情報に対応する識別情報と同じ識別情報を読取った場合、その識別情報に対応する登録情報の編集の為の処理を行うことを特徴とする請求項１に記載の電子機器。
【請求項３】
表示部を更に備え、
上記制御部は、上記登録の為の処理として、上記表示部に登録用画像を表示させることを特徴とする請求項１に記載の電子機器。
【請求項４】
表示部を更に備え、
上記制御部は、上記登録情報の編集の為の処理として、上記表示部に編集用画像を表示させることを特徴とする請求項２に記載の電子機器。
【請求項５】
上記非接触型通信機器とは非接触通信回路を有するＩＣチップを内蔵したＩＣカードであることを特徴とした請求項１に記載の電子機器。
【請求項６】
上記電子機器はナビゲーション装置であることを特徴とした請求項１に記載の電子機器。
【請求項７】
上記電子機器はオーディオ再生装置であることを特徴とした請求項１に記載の電子機器。
【請求項８】
固有の識別情報を記憶した非接触型通信機器に登録されている情報を読取る読取部を有する電子機器の動作制御方法として、
上記読取部で読み取られた識別情報が登録済の識別情報か未登録の識別情報かを判別するステップと、
登録済の識別情報であった場合、その識別情報に対応するユーザ設定情報を取得して該ユーザ設定情報に基づく設定処理を行うステップと、
未登録の識別情報であった場合は、その識別情報についての登録の為の処理を行うステップと、
を備えることを特徴とする電子機器の動作制御方法。
【発明の詳細な説明】
【技術分野】
【０００１】
本発明は、例えばナビゲーション装置やオーディオ再生装置などの電子機器と、その動作制御方法に関するものである。
【背景技術】
【０００２】
【特許文献１】特開２００５−５６１５０号公報
【０００３】
例えばユーザが、ＩＣチップを内蔵したＩＣ（Integrated Circuit）カードを利用して装置を使用する例が特許文献１に記載されている。
【０００４】
各種の電子機器にＩＣカードリーダを備えるようにし、電子機器を使用する際にＩＣカードを使用することが提案されている。例えば個々のユーザーが、自分のＩＣカードを所有し、電子機器を使用する際に、まず自分のＩＣカードと電子機器の間で通信を実行させ、電子機器に使用するユーザー個人を認証させるような使用形態である。
このような使用形態を想定した場合、電子機器に対しては、予めＩＣカードに記憶されている固有の識別情報を登録しておく必要がある。
図８に示すフローチャートは、ユーザーがＩＣカードを利用して電子機器を使用しようとする場合において、電子機器の制御部が行う処理を表したものである。
【０００５】
この電子機器には、ＩＣカードに記憶されている固有の識別情報を読取る読取部が設置されており、まずユーザがＩＣカードを利用するにあたっては、ＩＣカードを読取部へ近接させる。この動作を受けて制御部は、図８のステップＦ３０１においてカード自体が読取部に近接したかを判断する。
ＩＣカードが読取部に近接していると制御部が判断した場合、つまりＩＣカードとの間で通信状態となったと制御部が判断した場合は、ステップＦ３０２に進み、制御部はＩＣカードに記憶されている固有の識別情報を読込む処理を行う。
【０００６】
制御部は、ステップＦ３０２において識別情報を読み込んだ後はステップＦ３０３に進み、ＩＣカードから読み込んだ識別情報が登録済の識別情報であるか否かを判断する。
登録済の識別情報ではないと判断した場合、つまりＩＣカードから読み込んだ識別情報が読取りエラーとなり認識できない場合や識別情報が未登録の場合は、ステップＦ３０４に進み、このステップＦ３０４において制御部は図９に示すエラー処理画像３４を表示させる処理を行う。
【０００７】
一方、制御部は、ステップＦ３０３において登録済の識別情報と判断した場合はステップＦ３０５に進み、登録されたユーザ情報に対する処理として認証や設定処理を行う。
これで登録済の識別情報を装置が認識する動作が終了し、登録されたユーザに応じた機器動作を実行する。
【０００８】
また、新規ユーザが新たにＩＣカード（ＩＣカードに記憶された識別情報）を装置に登録させたり、すでに識別情報を登録しているＩＣカードを所持するユーザが登録内容を編集するには、図１０に示した編集画像３５を呼び出し、ユーザが行おうとしている作業に応じた操作を行う必要がある。
この編集画像３５に対してユーザが新規ユーザ追加ボタン３７を選択実行する操作を行った場合、制御部は、新規ユーザ登録画像（図示せず）を表示させて、新規ユーザ登録画面に対するユーザの操作に応じて登録処理を行う。
さらに、識別情報（ＩＣカード）をすでに登録済のユーザが登録情報の編集をしようする場合、ユーザ編集ボタン３８を選択実行する操作を行うが、この場合制御部は、登録情報編集画像（図示せず）を表示させ、登録情報編集画像に対するユーザー操作に応じて編集処理を行う。
【０００９】
なお、ユーザが図１０のような編集画像３５を表示させる操作を行うことができるようにするためには、メニュー画像や図８の各ステップで処理を行ったときに表示される画像などに、編集画像３５を呼び出すためのアイコン等を設定しておけばよい。
【発明の開示】
【発明が解決しようとする課題】
【００１０】
ところで、上記のようにＩＣカードの使用を想定した電子機器では、新たなＩＣカード（ＩＣカードに記憶されている固有の識別情報）を電子機器に登録する場合や、すでに登録している識別情報における登録情報を編集する場合などには、ユーザは、それら新規登録や編集のための画像を呼び出す操作を行なってから、その表示された画像に従って所要の操作を行う必要がある。
この場合、新規登録や編集のための画像を呼び出す操作としてユーザにとって手間のかかるとともに、ユーザによっては新規登録や編集のための画像を呼び出す操作方法がわからないといったこともあり、ＩＣカードによる利用を有効化できないこともある。
【００１１】
そこで、本発明ではユーザが新規に識別情報を登録する場合や、登録内容を編集する場合に面倒な操作を行うことなく、ユーザにかかる手間を軽減するとともに、ＩＣカード等の非接触型通信機器を利用した電子機器を使用する場合の使用性を向上させることを目的としている。
【課題を解決するための手段】
【００１２】
本発明の電子機器は、固有の識別情報を記憶した非接触型通信機器から情報を読取る読取部と、上記読取部が読取った識別情報が、登録済の識別情報であるか未登録の識別情報であるかを判別し、登録済の識別情報であった場合は、その識別情報に対応するユーザ設定情報を取得して該ユーザ設定情報に基づく設定処理を行い、未登録の識別情報であった場合は、その識別情報についての登録の為の処理を行う制御部とを備える。
【００１３】
また上記制御部は、或るユーザ設定情報に基づく設定状態で動作している状態で、上記読取部が、上記ユーザ設定情報に対応する識別情報と同じ識別情報を読取った場合、その識別情報に対応する登録情報の編集の為の処理を行う。
なお、ここでの登録情報とは、カードＩＤ、暗証ナンバ、ユーザ設定情報等、個々の非接触型通信機器（非接触型通信機器を所持するユーザ）に対して固有に登録している情報のことである。
【００１４】
また上記電子機器は表示部を更に備え、上記制御部は、上記登録の為の処理として、上記表示部に登録用画像を表示させる。
また上記制御部は、上記登録情報の編集の為の処理として、上記表示部に編集用画像を表示させる。
また上記非接触型通信機器とは非接触通信回路を有するＩＣチップを内蔵したＩＣカードである。
また上記電子機器はナビゲーション装置やオーディオ再生装置である。
【００１５】
本発明の、固有の識別情報を記憶した非接触型通信機器に登録されている情報を読取る読取部を有する電子機器の動作制御方法としては、上記読取部で読み取られた識別情報が登録済の識別情報か未登録の識別情報かを判別するステップと、登録済の識別情報であった場合、その識別情報に対応するユーザ設定情報を取得して該ユーザ設定情報に基づく設定処理を行うステップと、未登録の識別情報であった場合は、その識別情報についての登録の為の処理を行うステップとを備える。
【００１６】
以上の本発明は、例えばナビゲーション装置やオーディオ再生装置等で適用する場合、その読取部にＩＣカード等の非接触型通信機器を近接させて識別情報を読み込ませることで、新規ユーザの識別情報を登録する登録用画像や、すでに登録済の識別情報を編集する編集用画像を表示するなどの、読み込んだ識別情報に応じた制御を自動的に行うことができる。
【発明の効果】
【００１７】
本発明によれば、電子機器はＩＣカード等の非接触型通信機器から識別情報を読み込んだ際に、その識別情報から判別した状況に応じて、登録の為の処理や編集のための処理を行うようにしている。例えば読み込んだ識別情報に応じて登録用画像や編集用画像の表示を行う。つまりユーザの所持するＩＣカード等の登録状況や使用状態に応じて適切な画像表示等の処理が行われることで、登録や編集のためにユーザに操作負担をかけることが無くなる。これによって非接触型通信機器を利用した使用形態の電子機器の使用性を向上させることができる。
【発明を実施するための最良の形態】
【００１８】
以下、本発明の実施の形態として、本発明をナビゲーション装置に適用した例の第１の実施の形態と、オーディオ再生装置に適用した例の第２の実施の形態を順次説明する。
図１は第１の実施の形態のナビゲーション装置１０のブロック図である。
このナビゲーション装置１０は、演算処理部１、操作入力部２、映像信号処理部３、位置検出部４、センサ部５、ディスクドライブ装置部６、音声合成／再生処理部７、表示部８、スピーカ部９、ＩＣカード読取部１６、通信部１７を有する。これらの各部は、一体的に設けられても良いし、それぞれ別の筺体の装置部とされ、有線又は無線で通信可能に接続されるものであってもよい。
なお、このナビゲーション装置１０は例えば車載用のナビゲーション装置として説明するが、携帯用のナビゲーション装置でもよい。
【００１９】
操作入力部２は、ユーザの操作を受け、その操作情報を演算処理部１に伝達する装置部である。例えばナビゲーション装置１０の本体筐体のパネル上に設けられた各種のキーやジョグダイヤル、スティック等の操作子として実現されたり、本体筐体とは別体に設けられたリモートコントローラなどとして実現される。
また操作入力部２としては、表示画面上のタッチパネルとされる場合もある。その場合、表示部８と一体的に設けられる。さらには表示部８に表示されたメニュー画像やアイコン表示に対してマウスや所定のポインティングデバイスによってクリックを行う形態も操作入力部２の１態様として考えられる。
【００２０】
表示部８及びスピーカ部９は、ユーザに対する画像や音声の出力装置部となる。
表示部８は、演算処理部１でのナビゲーション動作のための処理で生成された地図画像、経路案内画像、操作メニュー、アイコン、ＰＯＩ（Point of Interest）情報、検索リスト等の各種ナビゲーション画像を表示する。また、ユーザ固有の情報を登録、編集する画像を表示する。
映像信号処理部３は、演算処理部１で生成されたナビゲーション画像データやその他の画像データに関して必要な処理を行い、表示部８での表示を実行させる。
スピーカ部９は、演算処理部１でのナビゲーション動作のための処理に基づく音声やその他の音声の出力を行う。
音声合成／再生処理部７は、ナビゲーション音声、例えば経路案内処理によるガイド音声等を出力するための音声合成処理やその他の音声合成処理を実行し、スピーカ部９から出力させる。
【００２１】
位置検出部４は、当該ナビゲーション装置１０の位置、即ち当該ナビゲーション装置１０が搭載された自動車の位置を検出する装置部であり、例えばＧＰＳ（Global Positioning System）を利用したＧＰＳ測位装置である。既に公知の通り、ＧＰＳ測位装置は、複数のＧＰＳ衛星から送られてくる電波を受信することで、静止衛星からの位置を計算し、自車の地図上の位置として緯度、経度を求める。
位置検出部４は測位した自車位置としての緯度、経度の情報を演算処理部１に供給する。
【００２２】
センサ部５は、車の走行状況や挙動等を検出する装置部である。例えば、車輪の回転数を検知する車速センサ、車体の回転角速度を検知する振動ジャイロセンサ、車の加速度を検知する加速度センサ、車の振動を検知する振動センサなどである。また、車の走行操作装置の状態を検出する装置、例えばパーキングブレーキスイッチやブレーキランプスイッチ、ステアリング舵角センサ、スロットル開度センサなども想定される。
センサ部５によるこれらの検出情報は、演算処理部１に供給される。演算処理部１では、これらのセンサ部５からの検出情報と、位置検出部４からの位置情報とを併せて用いることで、より精度の高い自車位置検出を実行することができる。
【００２３】
ディスクドライブ装置部６は、ＣＤ（Compact Disc）方式或いはＤＶＤ（Digital Versatile Disc）方式、或いはブルーレイディスク（Blu-ray Disc（登録商標））方式など外部記録媒体としてのディスク１８について再生を行う再生装置である。
このディスクドライブ装置部６に地図データ等を含むナビゲーション情報が記録されたディスク１８が装填されることで、本ナビゲーション装置１０はナビゲーション情報を読込むことができ、地図データ等に基づいたナビゲーション処理が可能となる。
なお、本明細書では「ナビゲーション情報」とは、ナビゲーション処理に用いるデータの総称として用いており、ナビゲーション情報には、地図データ、地図画像を生成するための地図画像や地図画像上のアイコン等を含む地図描画データ、経路計算用のデータ、経路誘導データ、ＰＯＩ（Point of Interest）データ、検索用データ、管理データなどが含まれる。ＰＯＩデータとは、レストラン、各種店舗、スポーツ施設、娯楽施設など、多様な地点情報を示すものであり、例えばこれらの各種地点をジャンル別等に体系化して検索できるようにした情報である。
一般に車載用ナビゲーション装置では、ユーザが目的地を設定することに応じて好適な経路を算出し、表示部において地図画像上で経路を表示するナビゲーション動作が行われる。このナビゲーション動作のためには、まずユーザが目的地を入力することが必要であるが、この目的地の入力のためには様々な方式があり、例えば目的地の住所や地名等を入力する方式や、地図上で位置を指定する方式、さらには目的地を検索して選択する方式などがある。検索による方式としてはＰＯＩ入力方式が知られている。例えばユーザの操作に応じて、ＰＯＩデータとしての地点情報をカテゴリ別などで分類したデータベースに対して検索を行い、検索結果をリスト表示する。そしてユーザがリストアップされたエントリの１つを指定することで、目的地として登録できるものである。検索のためのユーザの入力は、例えばメニュー形式などでカテゴリを指定し、指定されたカテゴリをキーとして検索を行ったり、或いはユーザがキーとなる文字等を入力し、これに基づいて検索するなど、多様な形態がある。
【００２４】
ディスクドライブ装置部６は、演算処理部１を有する本体筐体に一体的に設けられても良いし、別体とされて有線又無線で演算処理部１と通信可能とされてもよい。
なお説明上は、再生される外部記録媒体の例として、ＣＤ方式又はＤＶＤ方式のディスク１８を挙げているが、他の種類の光ディスクや光磁気ディスク、或いはメモリカードなどの可搬型の記録媒体が外部記録媒体として用いられてもよい。もちろんその場合は、外部記録媒体に対応した再生装置部が設けられる。またＨＤＤ（Hard Disc Drive）としてのディスクドライブ装置部６が設けられてもよい。
【００２５】
ＩＣカード読取部１６は、ＩＣ（Integrated Circuit）カード９０に記憶されている固有の識別情報を読取る情報読取り装置である。ＩＣカード９０とは非接触通信回路を有するＩＣチップが内蔵されたカードのことである。また、このＩＣチップに固有の識別情報が記憶されている。
ＩＣカード読取部１６はＩＣカード９０が近接されることに応じてＩＣカード９０との間で通信を行い、ＩＣカード９０に内蔵されているＩＣチップから識別情報を読取ることになる。そして、読取った識別情報を演算処理部１に供給する。
ＩＣカード９０は、例えば当該ナビゲーション装置１０を使用するユーザが所持する非接触型通信機器である。この場合、ＩＣカード９０に記憶された識別情報は、ナビゲーション装置１０にとっては個々のユーザを識別する情報となる。
このＩＣカード読取部１６は、演算処理部１を含むナビゲーション装置本体とは別体として形成され、有線又は無線で通信されるものでもよいし、またはナビゲーション装置本体内に設けられてもよい。
【００２６】
通信部１７は、携帯電話網や他の無線ネットワークを介して情報サーバと通信を行う通信部である。演算処理部１は、通信部１７による所定の情報サーバとの間の通信により、例えば道路状況、渋滞情報などを得ることができる。
【００２７】
演算処理部１は、ナビゲーション動作としての必要な演算処理を行う装置であり、例えばＣＰＵ（Central Processing Unit）１１、ＲＯＭ（Read Only Memory）１２、ＲＡＭ（Random Access Memory）１３、不揮発性メモリ１４、インターフェース部１５を備えて構成される。
ＲＯＭ１２には動作プログラムや各種処理に用いる定数、固定情報が記憶される。なお、動作プログラムは、ディスクドライブ装置部６に装填されたディスク１８に格納され、動作時に演算処理部１内にロードされるようにしてもよい。
ＲＡＭ１３は、ワーク領域やプログラムのロード領域に用いられたり、一時的な情報の蓄積に用いられる。またディスクドライブ装置部６で読み出されたデータについてのバッファリングやデータ処理のための一時的な格納領域ともされる。
【００２８】
不揮発性メモリ１４は書き換え可能かつシステムの電源供給が途絶えた時にも記憶したデータを保持できるメモリであり、例えばフラッシュメモリである。なお電池によりバックアップされたＳＲＡＭ（Static Random Access Memory）等でもよい。この不揮発性メモリ１４には、各種処理に用いる係数やユーザが登録した情報や指定した経路情報、過去の走行履歴情報などが記憶される。
さらに本実施の形態では、不揮発性メモリ１４は図２で述べるような登録情報の格納にも用いられる。
【００２９】
ＣＰＵ１１は、ナビゲーション装置としての各種動作制御の他、ＩＣカード読取部１６から読み取られた識別情報に応じた各種の動作制御を行う。識別情報に応じた処理としては例えばユーザの新規登録や登録情報の編集などの制御処理などを行う。
また、ＲＯＭ１２に記憶されたプログラムに基づいて、ナビゲーション装置として必要な情報処理や制御処理を行う。これらの情報処理や制御処理のために、ＲＡＭ１３をワーク領域として用いたり、ＲＯＭ１２や不揮発性メモリ１４に記憶された情報を参照する。
【００３０】
インターフェース部１５は、演算処理部１と他の各部、即ち操作入力部２、映像信号処理部３、位置検出部４、センサ部５、ディスクドライブ装置部６、音声合成／再生処理部７、ＩＣカード読取部１６、通信部１７との間での入出力を行う。インターフェース部１５は、操作入力部２からの操作情報や各種入力情報、位置検出部４からの位置情報、センサ部５による検出情報を入力し、ＣＰＵ１１に伝達する。またインターフェース部１５は、ＣＰＵ１１が出力する制御情報や画像データ、音声データを映像信号処理部３や音声合成／再生処理部７に供給し、ナビゲーションシステムとしての必要な表示出力、音声出力を実行させる。またインターフェース部１５はＣＰＵ１１からのアクセス要求をディスクドライブ装置部６に伝え、ディスクドライブ装置部６に所要のデータ再生を実行させる。またインターフェース部１５は、ディスクドライブ装置部６での再生動作によって転送されてくるナビゲーション情報を演算処理部１内に取り込む。またインターフェース部１５は、ＩＣカード読取部１６で読み込まれたユーザの識別情報をＣＰＵ１１に伝達する。またインターフェース部１５は通信部１７により行われるデータ通信のためのデータ授受を行う。
【００３１】
図２は、ＩＣカード固有の、つまりＩＣカードを所有するユーザに対して固有に設定される登録情報として、カードＩＤ、暗証ナンバ、ユーザ設定情報が登録される登録ユーザ設定テーブルの例を示している。
この登録ユーザ設定テーブルが、例えば不揮発性メモリ１４において記憶及び更新される。
この登録ユーザ設定テーブルは、例えば登録ナンバ（＃００１、＃００２・・・）毎に登録情報を記憶する。
各登録ナンバについて登録される登録情報（カードＩＤ、暗証ナンバ、ユーザ設定情報）は、１つのＩＣカード９０に対応する情報となる。例えば登録ナンバ＃００１として記憶されるカードＩＤ、暗証ナンバ、ユーザ設定情報は、或るユーザＸが所持するＩＣカード９０に対して記憶された登録情報であり、登録ナンバ＃００２として記憶されるカードＩＤ、暗証ナンバ、ユーザ設定情報は、例えばユーザＹが所持する別のＩＣカード９０に対する登録情報である。
【００３２】
このように記憶される登録情報のうち、カードＩＤ（ＩＤ００１、ＩＤ００２・・・）とは、それぞれ個々のＩＣカード９０に記憶されている固有の識別情報のことである。
【００３３】
暗証ナンバとは、ＩＣカード９０毎にユーザが任意に定めた番号である。図２の暗証ナンバの欄で示している１２５６３３、５１１１９７、の番号はナビゲーション装置１０に登録されている暗証ナンバを表している。
【００３４】
ユーザ設定情報Ｄ（ｘ）（Ｄ０１、Ｄ０２・・・）とは、ユーザ固有の設定情報であり、本例の場合、ナビゲーション装置１０の動作モード、動作環境、地図表示等の表示内容等の設定を、ユーザ毎に記憶した情報である。
具体的にはユーザ設定情報とは、例えば、ナビゲーション動作として地図表示を行う際に地図上に表示するアイコン、地図記号の種類などの設定、ＰＯＩ情報、メニュー画面の内容やデザイン、目的地や経路の履歴情報など、ユーザの嗜好や選択、或いは使用履歴に応じて決定される情報である。
即ち或るユーザの使用時に、このようなユーザ設定情報に基づいて設定を行うと、そのユーザにとって好適な表示動作や操作のインターフェースを実現できる設定内容である。
【００３５】
なお、この図２の登録ユーザ設定テーブルには、ＩＣカード９０について登録処理が行われる毎に、登録情報が追加登録されていく。
例えば図２の状態にある場合に、或るユーザーが新規の（それまで未登録の）ＩＣカード９０について登録操作を行うと、ＣＰＵ１１は、そのＩＣカード９０に応じて、登録ユーザ設定テーブル上で新たに登録ナンバ＃００３についてのカードＩＤ、暗証ナンバ、ユーザ設定情報としての登録情報を記憶させる処理を行う。この場合、カードＩＤは、当該登録処理を行うＩＣカード９０から読み取った識別情報とする。また暗証ナンバは、登録の際にユーザが入力した任意の番号である。
なおユーザ設定情報としては、登録時にユーザが自分の好みの動作環境や動作モード等を選択することで、その内容を登録しても良いが、登録時には、例えば装置としてのデフォルトの設定状態としてもよい。その場合、その後に当該ＩＣカード９０でログイン（ログインについては後述）した状態で使用された際に、動作モード、動作環境、表示内容等について、当該ＩＣカード９０を所持するユーザ固有の環境設定を学習し、学習した設定状態を追加登録するようにすればよい。
【００３６】
この登録ユーザ設定テーブルが不揮発性メモリ１４に記憶されていることで、ＣＰＵ１１は、ユーザがＩＣカード９０をＩＣカード読取部１６に近接させたときに、読み取ったカードＩＤに基づいて登録ユーザ設定テーブルを検索し、そのユーザ（ＩＣカード９０）に対応するユーザ設定情報Ｄ（ｘ）を読み出すことができる。なお、ユーザがＩＣカード９０を使用せず、操作入力部２から暗証ナンバを入力した際にも、ＣＰＵ１１は暗証ナンバに基づいて登録ユーザ設定テーブルを検索し、そのユーザに対応するユーザ設定情報Ｄ（ｘ）を読み出すことができる。
【００３７】
以上の構成のナビゲーション装置１０に対して、ユーザが所持するＩＣカード９０をＩＣカード読取部１６に近接させた場合のＣＰＵ１１の処理を図３で説明する。
なお基本的には、ナビゲーション装置１０に対してユーザがＩＣカード９０を使用する場合とは、事前にカードＩＤを上記のように登録ユーザ設定テーブルに登録させたユーザが、当該ナビゲーション装置１０を自分に合った設定状態で使用したい場合である。
【００３８】
図３のフローチャートにおけるＣＰＵ１１の処理としては、ステップＦ２０１でＩＣカード９０がＩＣカード読取部１６に近接されたか否かを判断する。即ちＩＣカード９０とＩＣカード読取部１６の間で通信状態となったか否かを判断する。
ＩＣカード９０とＩＣカード読取部１６の間で通信が行われたら、ＣＰＵ１１は処理をステップＦ２０２へ進め、ＩＣカード読取部１６が通信によりＩＣカード９０から読み取ったカードＩＤを読み込む。
カードＩＤを読み込んだらＣＰＵ１１は処理をステップＦ２０３へ進め、当該取り込んだカードＩＤが、上述した登録ユーザ設定テーブルに登録済のカードＩＤか未登録のカードＩＤかを判断する。ここで未登録であると判断した場合はＣＰＵ１１の処理はステップＦ２０４へ進み、カードＩＤの新規登録処理を行う。
【００３９】
また、登録済であると判断した場合はＣＰＵ１１の処理はステップＦ２０５へ進み、既にナビゲーション装置１０に、或るユーザ（或るＩＣカード９０）がログイン済の状態であるか否かを判断する。
ログインとは、或るユーザが、そのユーザ（ユーザが所持するＩＣカード９０）に応じたユーザ設定情報による動作設定が行われた状態を言う。
そしてログイン済でない（つまり現在は、誰もログインしていない状態）と判断した場合はステップＦ２０６へ進み、ＣＰＵ１１は、今回読み込んだカードＩＤに応じて登録されているユーザ設定情報による設定処理を行う。つまり、今回ＩＣカード９０を使用したユーザがログインした状態とする。
【００４０】
一方、ステップＦ２０５で、現在或るユーザがログイン済の状態であると判断した場合はＣＰＵ１１はステップＦ２０７へ進み、今回読み込んだカードＩＤが、現在ログイン済のユーザのカードＩＤと同じカードＩＤであるかを判断する。つまり、既にログインしているユーザが再度、ＩＣカード９０をＩＣカード読取部１６に近接させたのであるか否かを判断する。
【００４１】
今回読み込んだカードＩＤが、現在ログイン済のユーザのカードＩＤと同じであると判断した場合は、ＣＰＵ１１はステップＦ２０８へ進み、現在ログイン済のユーザの登録情報の編集処理を行う。
また今回読み込んだカードＩＤが、現在ログイン済のユーザのカードＩＤとは違うと判断した場合は、これまでログインしていたユーザとは異なるユーザ（異なるＩＣカード９０）がＩＣカード読取部１６に近接された場合であり、この場合はＣＰＵ１１はステップＦ２０９へ進み新たなユーザへの切り替え処理を行う。つまりＣＰＵ１１は、設定状態を、今回読み込んだカードＩＤに応じて登録されているユーザ設定情報に基づいた設定状態に切り換える。これによって、これまでログインしていたユーザに代わって、今回ＩＣカード９０を使用したユーザがログインした状態とする。
ＩＣカード９０が近接されて通信が行われた場合、ＣＰＵ１１はこの図３の処理を行うことになる。
【００４２】
以下、上記図３の処理による各場合の動作例を説明する。ここでは各ユーザ（ユーザＤ、Ｃ、Ｂ、Ａ）のそれぞれが自分のＩＣカード９０を所持し、以下の（１）〜（４）の各状況でＩＣカード９０を使用した場合を想定して、動作を説明する。
（１）所持するＩＣカード９０が登録ユーザ設定テーブルに登録済のユーザＤが、ナビゲーション装置１０には誰もログインしていない状況でＩＣカード９０を使用した場合。
（２）所持するＩＣカード９０が未登録であるユーザＣがＩＣカード９０を使用した場合。
（３）所持するＩＣカード９０が登録済のユーザＢが、ナビゲーション装置１０にユーザＡがログイン済のときにＩＣカード９０を使用した場合。
（４）所持するＩＣカード９０が登録済のユーザＡが、ナビゲーション装置１０に自分でログインした後に、再度ＩＣカード９０を使用した場合。
【００４３】
まず、上記（１）の、所持するＩＣカード９０が登録ユーザ設定テーブルに登録済のユーザＤが、ナビゲーション装置１０には誰もログインしていない状況でＩＣカード９０を使用した場合について述べる。
このような状況でユーザＤがＩＣカード９０をＩＣカード読取部１６に近接させた場合、ＣＰＵ１１は、ステップＦ２０３で、読み込まれたカードＩＤは登録ユーザ設定テーブルに登録済みであると判断する。またこの時点で誰もログインしていないことから、ＣＰＵ１１は処理をステップＦ２０５からＦ２０６に進めることになる。
【００４４】
そして、ステップＦ２０６では登録されたユーザ設定情報による設定処理を行う。つまりユーザＤ（ユーザＤが所持するＩＣカード９０）に対するログイン処理である。
即ちステップＦ２０６においては、ＣＰＵ１１は不揮発性メモリ１４に記憶されている登録ユーザ設定テーブルから、今回読み込んだカードＩＤに対応して登録されているユーザＤ固有のユーザ設定情報を読み出す。そして動作設定、表示設定、モード設定などを当該ユーザ設定情報に応じた設定状態とし、ユーザＤにとって快適にナビゲーション装置１０を使用できる状態とする。
なお、このとき表示部８には、例えば図５（ｂ）のようなログイン完了（ユーザ認証）の画面を数秒間表示させ、ログインが完了したことをユーザＤに告知する。
【００４５】
次に、上記（２）のように、所持するＩＣカード９０が未登録であるユーザＣが、ナビゲーション装置１０に対してＩＣカード９０を使用した場合について述べる。
ユーザＣが所持するＩＣカード９０をＩＣカード読取部１６に近接させた場合、ＣＰＵ１１は、ステップＦ２０３で、読み込まれたカードＩＤは登録ユーザ設定テーブルに登録されていないと判断する。従ってＣＰＵ１１は処理をステップＦ２０３からＦ２０４に進め、各種の登録用画像を表示させながら新規登録処理を行うことになる。
【００４６】
図４は、ステップＦ２０４における新規登録処理においてＣＰＵ１１が表示部８に表示させる画像例を示している。
まず図４（ａ）は、通常にナビゲーション画像２０を表示部８に表示させている状態を示している。なお、この図４（ａ）のようなナビゲーション画像は、他の或るユーザがログインした状態で表示されている場合もあるし、また誰もログインしていない状態で表示されている場合もある。
例えばこのような表示が行われているときに、ユーザＣがＩＣカード９０を使用し、ＣＰＵ１１の処理がステップＦ２０４に進んだとする。
この場合、ＣＰＵ１１は、新規登録処理として、まず最初に表示部８に図４（ｂ）のような登録用画像のひとつとして登録確認画像２１を表示させる。
【００４７】
この新規ユーザの登録確認画像２１において、ユーザ操作としてＮｏボタン２８が選択実行されると、ＣＰＵ１１は読み込んだカードＩＤを登録しないことをユーザが選択したと判断する。その場合は、新規ユーザの登録確認画像２１の表示を終了し、新規登録処理を終了する。
一方、図４（ｂ）の登録確認画像２１に対して、ユーザ操作としてＹｅｓボタン２７が選択実行されると、ＣＰＵ１１は読み込んだカードＩＤを登録することをユーザが求めたと判断する。そして、新規ユーザの登録確認画像２１の表示を終了し、登録用画像のひとつとして図４（ｃ）のようなパスワード設定画像２２を表示部８に表示する処理を行う。
【００４８】
ＣＰＵ１１は、図４（ｃ）のパスワード設定画像２２に対するユーザ入力に応じて、登録する暗証ナンバを決定する。ユーザは、このパスワード設定画像２２にある数字ボタンを操作して任意のパスワードを、入力スペース４１及び入力確認スペース４２に入力していく。そして入力を行ったらＯＫボタン２９を選択実行する。
ＣＰＵ１１は、このようなユーザ入力に応じて、入力スペース４１及び入力確認スペース４２への数値表示や、ＯＫボタン２９による入力確定を判断する。そして、ＯＫボタン２９が選択実行されることに応じて、暗証ナンバを確定させる。
暗証ナンバが確定されたら、ＣＰＵ１１は、今回読み込んだカードＩＤと、確定された暗証ナンバと、ユーザ設定情報を１組の登録情報として、不揮発性メモリ１４に保存している登録ユーザ設定テーブルに追加登録する処理を行う。なお、上述したようにユーザ設定情報は、この時点ではデフォルトの設定情報とし、後にこのユーザＣがログインしてナビゲーション装置１０を使用しているときに学習した設定情報を追加していくようにすれば良い。或いは図４（ｃ）のパスワード設定画像２２の表示に続いて、例えばユーザに、好ましい表示設定、趣味嗜好、動作環境設定などの選択を求める表示を実行し、その表示に対する入力に応じてユーザ設定情報を生成して登録しても良い。
【００４９】
このようにユーザＣ（ユーザＣが所持するＩＣカード９０）について登録処理を完了したら、ＣＰＵ１１は、図４（ｄ）のようなユーザ登録完了画像２３を例えば数秒間、表示部８に表示する処理を行う。
なお、例えば図４（ｃ）のパスワード設定画像２２のように、新規登録のための入力画面においてキャンセルボタン３０が選択実行された場合には、ＣＰＵ１１はユーザが登録処理をキャンセルしたものとして、未登録のまま、新規登録処理を終了する。
【００５０】
なお、図４に示したような画面上の各ボタンの操作は、操作入力部２の各種のキーやジョグダイヤル、スティック、タッチパネル、キーボード、マウスなどを用いて行うことができるようにしてあればよい。後述する図５、図６に示した画面上の各ボタンも同様である。
【００５１】
次に、上記（３）のように、所持するＩＣカード９０が登録済のユーザＢが、ナビゲーション装置１０にユーザＡがログイン済のときにＩＣカード９０を使用した場合について述べる。
このような状況でユーザＢがＩＣカード９０をＩＣカード読取部１６に近接させた場合、ＣＰＵ１１は、ステップＦ２０３で、読み込まれたカードＩＤは登録ユーザ設定テーブルに登録済みであると判断する。またこの時点でユーザＡがログインしていたことから、ＣＰＵ１１は処理をステップＦ２０５からＦ２０７に進める。さらに今回読み込まれたカードＩＤは、ユーザＢのＩＣカード９０のカードＩＤであって、ログインしているユーザＡのＩＣカード９０のカードＩＤとは異なるため、ＣＰＵ１１は、処理をステップＦ２０９に進めることになる。
【００５２】
そして、ステップＦ２０９では登録されたユーザ設定情報による設定処理を行う。つまりこの場合は、ユーザＢ（ユーザＢが所持するＩＣカード９０）に対するログイン処理であり、これはログイン中のユーザをユーザＡからユーザＢに切り換える処理である。
即ちステップＦ２０９においては、ＣＰＵ１１は不揮発性メモリ１４に記憶されている登録ユーザ設定テーブルから、今回読み込んだカードＩＤに対応して登録されているユーザＢ固有のユーザ設定情報を読み出す。そして動作設定、表示設定、モード設定などを、現在のユーザＡについての設定状態から、今回のユーザＢのユーザ設定情報に応じた設定状態とし、ユーザＢにとって快適にナビゲーション装置１０を使用できる状態とする。
【００５３】
例えば図５（ａ）の画像は、ユーザＡがログインして使用している状態でナビゲーション画像２０が表示部８に表示されている状態であるとする。
このユーザＡがログイン済の状態のときに、ユーザＢがＩＣカード９０をＩＣカード読取部１６に近接させた場合、ＣＰＵ１１はユーザＡがログイン済のナビゲーション画像２０の表示を終了させ、上記のようにユーザＢのユーザ設定情報による設定変更を行う。この場合、ＣＰＵ１１は表示部８に、例えば図５（ｂ）のようなログイン完了（ユーザ認証）の画面であるユーザ認証完了画像２４を数秒間表示させ、ログインが完了したこと（この場合はログインユーザが切り換えられたこと）をユーザＢに告知する。
その後、例えば図５（ａ）のようなナビゲーション画像２０を表示させるのであるが、その場合は、ユーザＢにあわせた表示状態、表示内容としてナビゲーション画像が表示されることになる。例えば、表示する地図記号、アイコン、操作ガイドなどがユーザＢにあわせたものとなる。
【００５４】
次に上記（４）の、所持するＩＣカード９０が登録済のユーザＡが、ナビゲーション装置１０に自分でログインした後に、再度ＩＣカード９０を使用した場合について述べる。
ユーザＡが既に一旦ログインした後に、再度ＩＣカード９０をＩＣカード読取部１６に近接させた場合、読み込まれたカードＩＤは登録ユーザ設定テーブルに登録済みであり、またこの時点でユーザＡがログインしていたことから、ＣＰＵ１１は処理をステップＦ２０３→Ｆ２０５→Ｆ２０７と進めることになる。そして今回読み込まれたカードＩＤは、ログインしているユーザＡのＩＣカード９０のカードＩＤと同一であるため、ＣＰＵ１１は、処理をステップＦ２０８に進めることになる。
ステップＦ２０８では、ＣＰＵ１１は、ログインユーザが再度ＩＣカード９０をＩＣカード読取部１６に近づけたのは、登録内容の編集を求めていると判断し、各種の編集用画像を表示させながら登録情報の編集処理を行う。
【００５５】
図６は、ステップＦ２０８における編集処理においてＣＰＵ１１が表示部８に表示させる画像例を示している。
まず図６（ａ）の画像は、ユーザＡがログインして使用している状態でナビゲーション画像２０が表示部８に表示されている状態であるとする。
例えばこのような表示が行われているときに、ユーザＡがＩＣカード９０を使用し、ＣＰＵ１１の処理がステップＦ２０８に進んだとする。
登録情報の編集の例として暗証ナンバの変更を行うことができるものとすると、ＣＰＵ１１は編集処理として、表示部８に図６（ｂ）のような編集用画像のひとつとしてパスワード設定画像２２を表示させる。
【００５６】
ＣＰＵ１１は、図６（ｂ）のパスワード設定画像２２に対するユーザ入力に応じて、暗証ナンバの編集（更新）を行う。ユーザは、このパスワード設定画像２２にある数字ボタンを操作して任意のパスワードを、入力スペース４１及び入力確認スペース４２に入力していく。そして入力を行ったらＯＫボタン２９を選択実行する。
ＣＰＵ１１は、このようなユーザ入力に応じて、入力スペース４１及び入力確認スペース４２への数値表示や、ＯＫボタン２９による入力確定を判断する。そして、ＯＫボタン２９が選択実行されることに応じて、新たな暗証ナンバを確定させる。
新たな暗証ナンバが確定されたら、ＣＰＵ１１は、今回読み込んだカードＩＤに対応して登録ユーザ設定テーブルに記憶されている暗証ナンバを更新する。
このように編集処理を完了したら、ＣＰＵ１１は、図６（ｃ）のような登録内容の編集完了画像２５を例えば数秒間、表示部８に表示する処理を行う。
なお、例えば図６（ｂ）のパスワード設定画像２２のように、編集のための入力画面においてキャンセルボタン３０が選択実行された場合には、ＣＰＵ１１はユーザが編集処理をキャンセルしたものとして、登録内容を更新しないまま、編集処理を終了する。
【００５７】
なお、ここでは暗証ナンバの編集処理を例に挙げたが、当然、ユーザ設定情報の内容を変更する編集処理を行うようにしても良い。即ちユーザ設定情報の内容変更のための入力画像を表示させて、ユーザの入力に応じて登録ユーザ設定テーブルのユーザ設定情報を更新できるようにすればよい。
【００５８】
以上のように本例のナビゲーション装置１０では、ＩＣカード９０がＩＣカード読取部１６に近接され、ＩＣカード９０からカードＩＤが読み取られた際には、ＣＰＵ１１は、その登録状況や、その時点のログイン状況に応じた処理を行う。具体的には、未登録のカードＩＤが読み込まれた場合は、ステップＦ２０４で新規登録について処理を行う。また、ログイン中のユーザが再度同じＩＣカード９０を近接させ、ログイン済のカードＩＤと同じカードＩＤが読み込まれた場合は、登録内容の編集についての処理を行う。
このため、ユーザはわざわざ新規登録や編集のための画面を導くために面倒或いは困難な操作を行う必要はなく、また状況に応じて表示されるため、登録状況を意識しないユーザにとっても好適な動作が行われることとなる。
【００５９】
続いて本発明の第２の実施の形態としてのオーディオ再生装置１００について説明する。
図７はオーディオ再生装置１００の構成を示している。このオーディオ再生装置１００は、自動車のフロントコンソールなどに取り付けられる車載用のオーディオ再生装置を例にしている。
【００６０】
このオーディオ再生装置１００は、例えばＣＤやミニディスクなどのオーディオディスクの再生機能やラジオチューナー機能などを備え、自動車内に配置されたスピーカから音楽等の再生音声を出力させる装置である。
【００６１】
図７のオーディオ再生装置１００において、ＣＰＵ１１０は、動作プログラムや操作入力に応じてオーディオ再生動作制御を行うことに加えて、ＩＣカード９０に対応するログイン処理、ユーザの新規登録、或いは登録情報の編集などの各種処理を行う。
メモリ部１１１は、ＣＰＵ１１０において実行されるプログラムコードを格納したり、実行中の作業データを一時保管する為に使用される。この図の場合、メモリ部１１１としては、揮発性メモリ、不揮発性メモリの双方を含むものとして示している。例えばプログラムを格納するＲＯＭ、演算ワーク領域や各種一時記憶の為のＲＡＭ、ＥＥＰ−ＲＯＭ（Electrically Erasable and Programmable Read Only Memory）等の不揮発性メモリを含む。
また、メモリ部１１１に含まれる不揮発性メモリは、図２で示した登録ユーザ設定テーブルの格納にも用いられる。
【００６２】
操作部１１２は、オーディオ再生装置１００のフロントパネルに配置される各種操作キーやダイヤル等の操作子を備える。ユーザは操作部１１２により、例えばオーディオモード（ソース切替）操作、ボリューム（音量）操作、音質操作、ディスク再生操作、早送り／早戻し操作、頭出し操作、ラジオ放送等の選局操作が可能とされる。
表示部１１３は、例えば液晶パネルによる表示部とされ、オーディオ再生装置１００のフロントパネルに設けられる。この表示部１１３では、ＣＰＵ１１０の制御に基づいて、オーディオモード表示、再生や早送りなどの動作を示す表示、スペクトルアナライザ表示、音量レベル表示、再生している曲等のトラックナンバや受信している放送局の表示、ユーザ固有の情報を登録又は編集する画像の表示、などが行われる。
【００６３】
再生出力するオーディオ信号のソースとして、ディスク再生部１１５、チューナー部１１６、外部入力部１１７を示している。セレクタ１１８はこれらオーディオ信号のソースを選択する回路である。
なお、オーディオ信号のソースとして、これ以外に楽曲等を記憶させたＨＤＤや、メモリカードからオーディオ信号を再生するメモリカードリーダなどが設けられても良い。
【００６４】
ディスク再生部１１５は、例えばＣＤ／ＤＶＤ等の光ディスクに対する再生装置部、もしくはミニディスク等の光ディスク／光磁気ディスクに対する再生装置部とされる。
ユーザが操作部１１２からディスク再生に関する操作を行うことで、ＣＰＵ１１０はディスク再生部１１５に再生動作を開始させたり、操作に応じた動作（頭出しサーチ等）を実行させる。ディスク再生部１１５で再生が行われるときはＣＰＵ１１０はセレクタ１１８がディスク再生部１１５を選択するように制御する。そしてディスク再生部１１５でディスクから再生されたオーディオ信号は、デジタルデータのままセレクタ１１８を介してＤＳＰ（Digital Signal Processor）１１４に供給される。
【００６５】
チューナ部１１６は、ラジオ放送等の放送受信器であり、放送波の受信／復調を行う。チューナ部１１６で放送受信を行うときはＣＰＵ１１０はセレクタ１１８がチューナ部１１６を選択するように制御する。そしてチューナ部１１６で復調されたオーディオ信号はデジタルデータに変更されて、セレクタ１１８を介してＤＳＰ１１４に供給される。
【００６６】
外部入力部１１７は、例えばチェンジャーシステム、ナビゲーション装置など、同じく自動車内に搭載された外部の機器からのオーディオ信号を入力する回路部である。
ユーザ操作によりソースとして外部入力部１１７が指定された場合、ＣＰＵ１１０はセレクタ１１８が外部入力部１１７を選択するように制御する。そして外部入力部１１７により外部機器から入力されたオーディオ信号（デジタルデータ）は、セレクタ１１８を介してＤＳＰ１１４に供給される。
【００６７】
ＤＳＰ１１４は、出力するオーディオ信号に対して各種の信号処理を行う。例えばイコライジング／リバーブ等の音響効果処理、音量調整処理、タイムアライメント処理、チャンネルデバイド処理、スピーカバランス調整処理などを行う。
音量調整処理、音響効果処理、スピーカバランス調整処理などは、操作部１１２からのユーザ操作に基づいて行う。
【００６８】
ＤＳＰ１１４では、以上のような各種の音声信号処理を行って、例えば４チャンネルスピーカから出力する４チャンネルのオーディオ信号を出力する。
各チャンネルのオーディオ信号は、Ｄ／Ａ変換器１１９ａ，１１９ｂ，１１９ｃ，１１９ｄにおいてアナログ信号に変換された後、それぞれアンプ部１２０ａ，１２０ｂ，１２０ｃ，１２０ｄで増幅され、スピーカ１２１ａ，１２１ｂ，１２１ｃ，１２１ｄから音声として出力される。スピーカ１２１ａ，１２１ｂ，１２１ｃ，１２１ｄは、例えばフロント右スピーカ、フロント左スピーカ、リア右スピーカ、リア左スピーカとして車内に配置されている。
なお、ＤＳＰ１１４で行われるスピーカバランス調整処理とは、例えばフロント側スピーカとリア側スピーカでの音量バランスや、左側のスピーカと右側のスピーカでの音量バランスなどの可変設定処理である。
ユーザは、フロント側スピーカとリア側スピーカとの音量バランス等を操作により任意に設定できる。
【００６９】
ＩＣカード読取部１２２は、ＩＣカード９０に記憶されている固有の識別情報を読取る情報読取り装置である。
このＩＣカード読取部１２２は、上述したナビゲーション装置１０のＩＣカード読取部１６と同様、ＩＣカード９０が近接されることに応じてＩＣカード９０との間で通信を行い、ＩＣカード９０に内蔵されているＩＣチップから識別情報を読取ることになる。そして、読取った識別情報をＣＰＵ１１０に供給する。
ＩＣカード９０は、例えば当該オーディオ再生装置１００を使用するユーザが所持する非接触型通信機器である。この場合、ＩＣカード９０に記憶された識別情報は、オーディオ再生装置１００にとっては個々のユーザを識別する情報となる。
このＩＣカード読取部１６は、オーディオ再生装置本体とは別体として形成され、有線又は無線で通信されるものでもよいし、またはオーディオ再生装置本体内に設けられてもよい。
【００７０】
以上の構成のオーディオ再生装置１００において、ユーザがＩＣカードを使用したときのＣＰＵ１１０の処理については、上述した図３と同様となる。
従ってＣＰＵ１１０は、ユーザが誰もオーディオ再生装置１００にログイン済でないときに、既に登録ユーザ設定テーブルに登録済のカードＩＤを認識すると、そのカードＩＤとともに登録されているユーザ設定情報に基づく設定状態とする。つまりログイン処理を行う。
また、ＣＰＵ１１０は、登録ユーザ設定テーブルに未登録のカードＩＤを認識すると、そのカードＩＤについての新規登録処理を行う。
さらに、ＣＰＵ１１０は、或るカードＩＤで既にログイン済の状態のときに、登録済の別のカードＩＤを認識すると、そのカードＩＤでログインする処理、つまりログインユーザの切替処理を行う。
また、ＣＰＵ１１０は、或るカードＩＤでログイン済の状態で、そのカードＩＤを再び認識したら、当該カードＩＤについての登録情報の編集処理を行う。
【００７１】
つまり当該オーディオ再生装置１００においても、ＩＣカード９０がＩＣカード読取部１２２に近接され、ＩＣカード９０からカードＩＤが読み取られた際には、ＣＰＵ１１０は、その登録状況や、その時点のログイン状況に応じた処理を行う。具体的には、未登録のカードＩＤが読み込まれた場合は、ステップＦ２０４で新規登録について処理を行う。また、ログイン中のユーザが再度同じＩＣカード９０を近接させ、ログイン済のカードＩＤと同じカードＩＤが読み込まれた場合は、登録内容の編集についての処理を行う。
このため、ユーザはわざわざ新規登録や編集のための画面を導くために面倒或いは困難な操作を行う必要はなく、また状況に応じて表示されるため、登録状況を意識しないユーザにとっても好適な動作が行われることとなる。
【００７２】
なお、このようなオーディオ再生装置１００の場合、ユーザ設定情報としては、最初にセレクタ１１８で選択するオーディオソースの設定、初期（ユーザが手動で音量操作を行う前）の音量値、イコライジング、リバーブなどの音響設定、スピーカバランス設定などが考えられる。このように個々のユーザが通常使用する音響設定をユーザ設定情報とした場合、オーディオ再生装置１００は、或るユーザがＩＣカード９０を用いてログインしたときに、読み込んだカードＩＤに基づいてユーザ設定情報としての音響設定を判別し、その音響設定で再生動作を実行する。
つまり個々のユーザは、それぞれ自分のＩＣカード９０を用いてログインを行うのみで、そのユーザにとって快適な音響再生状態でオーディオ再生を楽しむことができる。
【００７３】
なお、上述してきた第１、第２の実施の形態では、装置内部の不揮発性メモリ（図１の不揮発性メモリ１４、図７のメモリ部１１１内の不揮発性メモリ）に登録ユーザ設定テーブルが記憶されているものとしたが、この不揮発性メモリに代えて、装置がアクセス可能なＨＤＤやメモリカード等に登録ユーザ設定テーブルを記憶させても良い。
また装置外部の情報サーバに登録ユーザ設定テーブルを保存してもよい。例えば上記のナビゲーション装置１０やオーディオ再生装置１００においてインターネット等のネットワークで外部情報サーバと通信できるようにする。そして、ＩＣカード９０によってログインが行われる際に、ナビゲーション装置１０等は、読み込んだカードＩＤに基づいて、外部情報サーバにユーザ設定情報を要求する。これによって外部情報サーバからユーザ設定情報を取得し、カードＩＤに応じた設定を行うことができる。
このように、外部に登録ユーザ設定テーブルを記憶したサーバなどを設置し、ネットワークを介してアクセスできるようにすることで、さらに多様な利用形態が可能となる。例えばレンタカーなどの不特定多数のユーザが使用する車載用ナビゲーション装置などにおいて、車を借りたユーザがＩＣカード９０を使ってログインすると、そのナビゲーション装置は、ユーザ設定情報を外部サーバから取り込み、ユーザ固有の環境でナビゲーション動作を実行するようにもできる。
そして、そのような環境においても、新規ユーザ（新規のカードＩＤ）の登録や、登録情報の編集を行う場合などに、ナビゲーション装置等が上記の処理を行うことで、ユーザによって利便性の高いものとできる。
【００７４】
本発明の電子機器は上述した実施の形態のナビゲーション装置１０やオーディオ再生装置１００の例に限らず、多様な例が考えられる。例えばビデオ機器、携帯電話機、家電機器などにも本発明を適用できる。
さらに、ナビゲーション装置１０やオーディオ再生装置１００の構成も上述した２つの装置の例に限らず多様に考えられる。また、ナビゲーション装置１０とオーディオ再生装置１００の複合機器等も想定される。
【００７５】
また実施の形態では、登録ユーザ設定テーブルに登録する登録情報として暗証ナンバを含む例を、登録ユーザ設定テーブルには、少なくともカードＩＤに対応してユーザ設定情報が登録されればよく、暗証ナンバは不要としてもよい。
この場合、未登録のＩＣカード９０が使用され、それに応じて新規登録の処理を行う場合に、上記例のようにユーザに暗証ナンバ入力を求める必要もないことになる。
【００７６】
また、ＩＣカード９０によって電子機器に新規登録や編集の処理を求めることができる本発明では、これらの要求操作のための余分な操作子を設けることが不要とできることにもなり、例えば操作子配置の余裕が少ない小型携帯用の電子機器、例えば携帯オーディオプレーヤや携帯ナビゲーション装置、携帯ゲーム機などにおいても本発明は好適である。例えば、携帯オーディオプレーヤや携帯ナビゲーション装置、携帯ゲーム機などが想定される。
また実施の形態では非接触型通信機器の例としてＩＣカードを挙げているが、例えば同様に識別情報を記憶して非接触通信を行うＩＣチップを内蔵している機器は他に多様に想定される。例えばＩＣチップを内蔵した携帯電話器その他の機器を、本発明でいう非接触型通信機器と考え、上記実施の形態の場合でのＩＣカードと同様に使用することができる。
【図面の簡単な説明】
【００７７】
【図１】本発明の第１の実施の形態のナビゲーション装置のブロック図である。
【図２】本実施の形態の登録ユーザ設定テーブルの説明図である。
【図３】本実施の形態の処理のフローチャートである。
【図４】第１の実施の形態の新規登録処理画像の説明図である。
【図５】第１の実施の形態のユーザ切替処理画像の説明図である。
【図６】第１の実施の形態の登録情報の編集処理画像の説明図である。
【図７】本発明の第２の実施の形態のオーディオ再生装置のブロック図である。
【図８】従来例の処理のフローチャートである。
【図９】従来例のエラー処理画像の説明図である。
【図１０】従来例の編集画像の説明図である。
【符号の説明】
【００７８】
１  演算処理部、２  操作入力部、３  映像信号処理部、４  位置検出部、５  センサ部、６  ディスクドライブ、７  音声合成／再生処理部、８  表示部、９  スピーカ部、１０  ナビゲーション装置、１１  ＣＰＵ、１２  ＲＯＭ、１３  ＲＡＭ、１４  不揮発性メモリ、１５  インターフェース部、１６  ＩＣカード読取部、１７  通信部、１８  ディスク、９０  ＩＣカード、１００  オーディオ再生装置、１１０  ＣＰＵ、１１１  メモリ、１１２  操作部、１１３  表示部、１１４  ＤＳＰ、１１５  ディスク再生部、１１６  チューナ部、１１７  外部入力部、１１８  セレクタ、１２２  ＩＣカード読取部
【図１】
2008052408.tif 000003
【図２】
2008052408.tif 000004
【図３】
2008052408.tif 000005
【図４】
2008052408.tif 000006
【図５】
2008052408.tif 000007
【図６】
2008052408.tif 000008
【図７】
2008052408.tif 000009
【図８】
2008052408.tif 000010
【図９】
2008052408.tif 000011
【図１０】
2008052408.tif 000012